(57)【特許請求の範囲】
【請求項１】
互いに連結した上シェルと下シェルとにより形成された密閉容器内に、電動圧縮要素を収納した密閉型電動圧縮機において、前記下シェルは底面部と、前記底面部に連結する前記底面部より曲率が大であるコーナー部と、前記コーナー部に連結しほぼ鉛直上方へ向けて形成された側面部とからなり、前記底面部への振動伝達を効果的に低減し前記底面部の共振により発生する騒音を低減するよう、少なくとも３個以上の略円形断面を有した突起部を前記側面部に沿って前記コーナー部に設けるととともに、前記下シェルに形成された前記突起部の底面が、前記下シェルの底面部と同一もしくは前記底面部よりも低い位置にあり、かつ前記突起部の底面が同一平面内に位置し、前記突起部の内側に前記電動圧縮要素を支持するスプリング等の弾性支持部材を配置し、かつ前記スプリングの一端と前記底面部とが最も近づく位置にない密閉型電動圧縮機。
【請求項２】
下シェルに形成された突起部の底面が、球面形状である請求項１記載の密閉型電動圧縮機。
【請求項３】
下シェルに形成された突起部の内側に耐油、耐フロン性の緩衝材を介して、弾性支持部材を配置した請求項１記載の密閉型電動圧縮機。
【請求項４】
下シェルに形成された突起部の外側に圧縮機を支持する脚部を固着させた請求項３記載の密閉型電動圧縮機。
【発明の詳細な説明】
【０００１】
【発明の属する技術分野】
本発明は、冷蔵庫等に使用される密閉型電動圧縮機に係わり、特に低騒音化、低振動化に関するものである。
【０００２】
【従来の技術】
近年、密閉型電動圧縮機は、小型化、低騒音化が強く要求されている。
【０００３】
従来の密閉型電動圧縮機としては、特許第２６０９７１３号公報に示されているものがある。
【０００４】
以下、図４を参照しながら、上記した特許第２６０９７１３号公報に示されている従来の密閉型電動圧縮機について説明する。
【０００５】
図４は、従来の密閉型電動圧縮機の縦断面図である。
【０００６】
図４において、電動要素１０１と圧縮要素１０２とからなる電動圧縮要素１０３が、互いに連結した上シェル１０４と下シェル１０５とからなる密閉容器１０６に収納されている。下シェル１０５には、大曲率部１０７と小曲率部１０８にまたがるように、水平方向に形成された平坦部１０９があり、この平坦部１０９にコイルばね１１０を設置して電動圧縮要素１０３を支持するようにしている。また、密閉容器１０６を位置決め固定する脚部１１１が大曲率部１０７に固着している。
【０００７】
以上のように構成された従来の密閉型電動圧縮機について、以下その動作を説明する。
【０００８】
図４の密閉型電動圧縮機の構成は、下シェル１０５底部に電動圧縮要素１０３を支持するコイルばね１１０を設置すべき水平方向の平坦部１０９を、大曲率部１０７と小曲率部１０８にまたがるように設けることにより、下シェル１０５の剛性を高め、下シェル１０５の底面の振動を低減し、コイルばね１１０設置部から外部へ伝播する振動を抑制する効果を得ようとするものである。
【０００９】
【発明が解決しようとする課題】
しかしながら、上記従来の構成では、平坦部１０９を設けるためには下シェル１０５底部の一部分を内側に押し込む形状となり、コイルばね１１０の長さが十分に確保しにくく、コイルばね１１０の長さを十分に確保しようとすると、密閉容器が大型化し、また、下シェル１０５底部の剛性を高めるために曲率を大きくする場合においても密閉容器が大型化するという課題を有していた。
【００１０】
また、大型化せずに平坦部１０９を設けた場合、平坦部１０９の深さが十分に取れず、下シェル１０５底部と近い位置に設けられることとなり、平坦部１０９に設置されたコイルばね１１０から下シェル１０５底部への振動伝達を効果的に低減することが困難となり、下シェル１０５底部の共振によって発生する騒音を低減する十分な効果は得られないという課題を有していた。さらに、脚部１１１を剛性の高い大曲率部１０７に固着するだけでは、下シェル１０５底部の共振モードによって、脚部１１１も連成共振し、脚部１１１の共振によって発生する騒音を十分に低減することはできないという課題も有していた。
【００１１】
本発明は従来の課題を解決するもので、弾性支持部材から下シェルの底面部への振動伝達を効果的に低減し、低騒音化、低振動化を可能とした密閉型電動圧縮機を提供することを目的とする。
【００１２】
【課題を解決するための手段】
この目的を達成するため本発明は、少なくとも３個以上の略円形断面を有する突起部を下シェルの側面部に沿ってコーナー部に設け、突起部の内側に電動圧縮要素を支持するスプリング等の弾性支持部材を配置したものである。
【００１３】
これにより、剛性の高いコーナー部に突起部を設けることで、底面部と突起部の連成共振を防止し、さらに、弾性支持部材から底面部への振動伝達が効果的に低減でき、大型化することなく底面部の共振によって発生する騒音を低減することができる。
【００１４】
さらに、下シェルに形成された突起部の底面が、下シェルの底面部と同一もしくは底面部よりも低い位置にあり、突起部の底面が同一平面内に位置し、かつスプリングの一端と底面部とが最も近づく位置になく離れているものである。
【００１５】
これにより、底面部と離れた位置に弾性支持部材の一端が位置することで、弾性支持部材から底面部への振動伝達を効果的に低減し、底面部の共振によって発生する騒音を低減することができる。
【００１６】
また、下シェルに形成された突起部の底面が、球面形状に形成されたものである。
【００１７】
これにより、突起部の剛性を高め、突起部での共振を抑制し、騒音を低減することができる。
【００１８】
また、下シェルに形成された突起部の内側に耐油、耐フロン性の緩衝材を介して、弾性支持部材を配置したものである。
【００１９】
これにより、緩衝材が弾性支持部材より伝達する振動エネルギーを効果的に吸収し、騒音、振動を低減することができる。
【００２０】
また、下シェルに形成された突起部の外側に圧縮機を支持する脚部を固着させたものである。
【００２１】
これにより、底面部と脚部の連成共振を防止し、脚部から発生する騒音を低減することができる。
【００２２】
【発明の実施の形態】
本発明は、互いに連結した上シェルと下シェルとにより形成された密閉容器内に、電動圧縮要素を収納した密閉型電動圧縮機において、前記下シェルは底面部と、前記底面部に連結する前記底面部より曲率が大であるコーナー部と、前記コーナー部に連結しほぼ鉛直上方へ向けて形成された側面部とからなり、少なくとも３個以上の略円形断面を有する突起部を前記側面部に沿って前記コーナー部に設け、前記突起部の内側に前記電動圧縮要素を支持するスプリング等の弾性支持部材を配置したものである。
【００２３】
そして、シェルモードの節部となるコーナー部に突起部を設けることにより、底面部の共振モードと前記突起部が切り離され、さらに、前記突起部の内側に電動圧縮要素を支持する弾性支持部材を配置することにより、前記電動圧縮要素で発生した振動が前記弾性支持部材を介して前記底面部に伝達するのを効果的に低減し、前記底面部での共振音の発生を抑制することができ、また、少なくとも３個以上の前記突起部を側面部に沿って設けることにより、前記電動圧縮要素を最大ピッチで安定して支持することができ、さらに前記突起部が略円形断面であることにより、前記突起部の剛性が高まり、騒音を低減することとなる。
【００２４】
さらに、下シェルに形成された突起部の底面が、前記下シェルの底面部と同一もしくは前記底面部よりも低い位置にあり、前記突起部の底面が同一平面内に位置したものである。
【００２５】
そして、この構成により、底面部と離れた位置に弾性支持部材の一端が位置することにより、電動圧縮要素から発生した振動が前記弾性支持部材を介して前記底面部に伝達するのを効果的に低減でき、前記底面部での共振音の発生を抑制することができ、騒音を低減することとなる。
【００２６】
また、下シェルに形成された突起部の底面が、球面形状に形成されたものである。
【００２７】
そして、この構成により、突起部の剛性を高めることができ、前記突起部での共振を抑制し、騒音を低減することとなる。
【００２８】
また、下シェルに形成された突起部の内側に耐油、耐フロン性の緩衝材を介して、弾性支持部材を配置したものである。
【００２９】
そして、この構成により、緩衝材が弾性支持部材より伝達する振動エネルギーを効果的に吸収し、騒音、振動を低減することとなる。
【００３０】
また、下シェルに形成された突起部の外側に圧縮機を支持する脚部を固着させたものである。
【００３１】
そして、この構成により、底面部と脚部の連成共振を防止し、脚部から発生する騒音を低減することとなる。
【００３２】
以下、本発明による密閉型電動圧縮機の実施例について、図面を参照しながら説明する。
【００３３】
（実施例１）
図１は、本発明の実施例１による密閉型電動圧縮機の要部を切欠した縦断面図である。図２は、同実施例の下シェルの底からの平面図である。
【００３４】
図１、図２において、１は密閉型電動圧縮機で、上シェル２と下シェル３を互いに連結した密閉容器４内に、上方に圧縮要素５、下方に電動要素６が収納されている。圧縮要素５は、ブロック７と一体に設けられたシリンダー８、ピストン９、クランクシャフト１０、コンロッド１１、ベアリング１２等により構成されている。また、電動要素６は、ローター１３、ステーター１４より構成されており、ローター１３はクランクシャフト１０に焼ばめ、圧入等の方法で固定され、ステーター１４はブロック７にねじ止め固定されていることで圧縮要素５と電動要素６が一体となり、電動圧縮要素１５を形成している。
【００３５】
下シェル３は、底面部１６と、底面部１６に連結し底面部１６より曲率が大であるコーナー部１７と、コーナー部１７と連結しほぼ鉛直上方へ向けて形成された側面部１８とからなり、側面部１８に沿って略円形断面を有する突起部１９がコーナー部１７に設けられている。
【００３６】
さらに、突起部１９の内側には電動圧縮要素１５を支持するスプリング２０が配置されている。
【００３７】
以上のように構成された密閉型電動圧縮機について、以下その動作を説明する。
【００３８】
電動圧縮要素１５からは、圧縮要素５の摺動や電動要素６の回転などの様々な要因で振動が発生し、スプリング２０を介して、密閉容器４に伝達される。
【００３９】
一方、密閉容器４は伝達された振動によって特定の周波数で共振を起こすモードを有しており、この共振音が問題となる。
【００４０】
突起部１９をシェルモードの節部となるコーナー部１７に設けることによって、底面部１６の共振モードと突起部１９が切り離され、さらに、突起部１９の内側にスプリング２０を配置することによって、スプリング２０から底面部１６への振動伝達を効果的に低減することができ、底面部１６での共振音の発生を抑制することができる。また、突起部１９を設けたことによって、底面部１６の曲率を大きくし、剛性を高め、共振音の発生を抑制することができる。さらに、電動圧縮要素１５を安定して支持するのに最適なスプリング２０の長さを確保することが可能となる。
【００４１】
また、側面部１８に沿って突起部１９を４個設けることによって、これまで小さいピッチで電動圧縮要素１５を支持していたために不安定で振動が発生しやすい構成となっていたのに対して、最大ピッチで安定した支持ができ、さらに、突起部１９が略円形断面を有することによって、突起部１９の剛性が高まり、突起部１９での共振音の発生を抑制することができる。
【００４２】
以上のように本実施例の密閉型電動圧縮機は、互いに連結した上シェル２と下シェル３とからなる密閉容器４内に電動圧縮要素１５を収納したものであって、下シェル３に側面部１８に沿って略円形断面を有する突起部１９をコーナー部１７に設け、突起部１９の内側にスプリング２０を配置したことにより、スプリング２０から底面部１６への振動伝達を効果的に低減でき、底面部１６の共振によって発生する騒音を大型化することなく低減することができる。
【００４３】
なお、突起部１９の底面が底面部１６と同一もしくは底面部１６よりも低い位置にあり、さらに突起部１９の底面が同一平面内に位置するように形成し、かつ突起部１９の内側に配置したスプリング２０の一端と底面部１６とが最も近づく位置にないように形成すれば、密閉型電動圧縮機１を安定して支持することができ、製造時や輸送時に電動圧縮要素１５が大きく変位し、損傷することによって発生する異常音を防止することができる。さらに、スプリング２０の一端が底面部１６と離れた位置に位置するため、スプリング２０から底面部１６への振動伝達を効果的に低減することができ、底面部１６での共振音の発生をさらに抑制することができる。
【００４４】
また、突起部１９の底面が球面形状であれば、突起部１９の底面の剛性が上がり、共振を抑制することができ、共振音をさらに低減することができる。
【００４５】
（実施例２）
図３は、本発明の実施例２による密閉型電動圧縮機の要部を切欠した縦断面図である。実施例１と同一構成については同一符号を付して詳細な説明を省略する。
【００４６】
図３において、下シェル３に形成された突起部２１の内側に、緩衝材２２を介してスプリング２０が配置されている。また、突起部２１の外側には、脚部２３が固着されている。
【００４７】
以上のように構成された密閉型電動圧縮機について、以下その動作を説明する。
【００４８】
突起部２１とスプリング２０の間に緩衝材が介在することにより、スプリング２０から脚部２３に伝達する振動エネルギーを効果的に吸収し、底面部１６への振動伝達が低減され、底面部１６での共振音の発生を抑制することができる。また、突起部２２に脚部２３を固着することによって、底面部１６と脚部２３との連成共振を抑制することができる。
【００４９】
以上のように本実施例の密閉型電動圧縮機は、下シェル３に形成された突起部２１の内側に耐油、耐フロン性の緩衝材２２を介してスプリング２０が配置され、さらに、脚部２３が突起部２１の外側に固着されたことにより、電動圧縮要素１５で発生した振動エネルギーを緩衝材２２が効果的に吸収し振動を低減し、また、底面部１６の共振によって発生する騒音を低減し、さらに底面部１６と脚部２２の連成共振によって発生する騒音を低減することができる。
【００５０】
【発明の効果】
以上説明したように本発明は、互いに連結した上シェルと下シェルとにより形成された密閉容器内に、電動圧縮要素を収納した密閉型電動圧縮機において、前記下シェルは底面部と、前記底面部に連結する前記底面部より曲率が大であるコーナー部と、前記コーナー部に連結しほぼ鉛直上方へ向けて形成された側面部とからなり、少なくとも３個以上の略円形断面を有する突起部を前記側面部に沿って前記コーナー部に設け、前記突起部の内側に前記電動圧縮要素を支持するスプリング等の弾性支持部材を配置したことで、前記底面部の共振モードと前記突起部を切り離すことができ、さらに、前記弾性支持部材から前記底面部への振動伝達を低減することができ、また、前記底面部の曲率を大きくすることが可能になり、前記底面部の共振によって発生する騒音を効果的に低減することができる。
【００５１】
さらに、下シェルに形成された突起部の底面が、前記下シェルの底面部よりも低い位置にあり、前記突起部の底面が同一平面内に位置した構成によって、前記底面部への振動伝達を効果的に低減することができ、前記底面部の共振により発生する騒音を低減することができ、さらに、製造時や輸送時に圧縮機本体を安定して支持することができ、電動圧縮要素が大きく変位し、損傷することによって発生する異常音を防止することができる。
【００５２】
また、さらに下シェルに形成された突起部の底面が、球面形状であることにより、前記突起部の剛性が高くなり、前記突起部での共振を抑制することができ、騒音を低減することができる。
【００５３】
また、さらに下シェルに形成された突起部の内側に耐油、耐フロン性の緩衝材を介して、弾性支持部材を配置したことにより、前記緩衝材が前記弾性支持より伝達する振動エネルギーを吸収することにより、振動、騒音を低減することができる。
【００５４】
また、さらに下シェルに形成された突起部の外側に圧縮機を支持する脚部を固着させたことにより、前記脚部への振動伝達を低減することができ、さらに底面部と前記脚部の連成共振によって、前記脚部から発生する騒音を低減することができる。
【図面の簡単な説明】
【図１】本発明による密閉型電動圧縮機の実施例１の要部を切欠した縦断面図
【図２】同実施例の下シェルの底からの平面図
【図３】本発明による密閉型電動圧縮機の実施例２の要部を切欠した縦断面図
【図４】従来の密閉型電動圧縮機の縦断面図
【符号の説明】
１    密閉型電動圧縮機
２    上シェル
３    下シェル
４    密閉容器
１６  底面部
１７  コーナー部
１８  側面部
１９、２１  突起部
２０  スプリング
２２  緩衝材
２３  脚部
【図１】
0004348804.tif 000002
【図２】
0004348804.tif 000003
【図３】
0004348804.tif 000004
【図４】
0004348804.tif 000005